(57)【特許請求の範囲】
【請求項１】
ｍＭＨｚの回線を収容する回線対応部と、ｍＭＨｚまたはｍ／ｎＭＨｚの回線を収容する回線インタフェース部とを備え、この回線インタフェース部および前記回線対応部は、相互にセルデータを送受信する手段を備えたデータ転送装置において、
前記回線対応部と前記回線インタフェース部との間には、上り下りｎ対のｍ／ｎＭＨｚの回線が設けられ、
前記送受信する手段は、前記回線インタフェース部がｍＭＨｚの回線を収容するとき前記ｎ対のｍ／ｎＭＨｚの回線にセルデータを１／ｎセルずつずらして巡回的に順次送信する第一のモードを含む
ことを特徴とするデータ転送装置。
【請求項２】
前記送受信する手段は、前記回線インタフェース部がｍ／ｎＭＨｚの回線を収容し複数ｎ個設けられるときは、セルデータの行き先方路識別子により前記ｎ対のｍ／ｎＭＨｚの回線にそれぞれセルデータを振り分ける第二のモードを含み、
前記第一の動作モードと前記第二の動作モードとを要求に応じて設定する手段を含む
請求項１記載のデータ転送装置。
【発明の詳細な説明】
【０００１】
【発明の属する技術分野】
本発明は異なる速度の回線が混在する通信網に利用する。特に、異なる速度の回線を収容するハードウェア構成の簡単化技術に関する。
【０００２】
【従来の技術】
本明細書でいうところのデータ転送装置は、ユーザ端末に続く回線（以降、加入者回線という）とＡＴＭスイッチとの間に介挿されており、加入者回線が接続される回線インタフェース部と、ＡＴＭスイッチが接続される回線対応部とから構成される。
【０００３】
回線インタフェース部は、例えば、ユーザ端末から到来するデータが電気信号であれば、電気信号を光信号に変換する処理を行ったり、ユーザ端末から到来するデータがセル化されていなければ、これをセル化する処理を行っている。また、回線対応部は、例えば、回線毎の課金処理を行ったり、回線速度の変換を行ったりしている。この回線対応部は、ＡＴＭスイッチに接続される所定のスロットに収納される。
【０００４】
従来は、異速度回線を収容して通信処理を行うためには、それぞれの回線を収容するスロットに、その速度専用のデータ転送装置を配置して通信処理を行っている。この従来例を図４を参照して説明する。図４は従来のデータ転送装置の要部ブロック構成図である。図４に示すように、６００ＭＨｚの回線を収容する６００ＭＨｚ対６００ＭＨｚ回線対応部５０が、６００ＭＨｚ回線を介して６００ＭＨｚ対６００ＭＨｚ回線インタフェース部７０とのセルデータの送受信を行い、６００ＭＨｚの回線を収容する６００ＭＨｚ対１５０ＭＨｚ回線対応部６０が、１５０ＭＨｚ回線を介して１５０ＭＨｚ回線インタフェース部方路１４−ａ〜１４−ｄとのセルデータの送受信を行う。
【０００５】
【発明が解決しようとする課題】
このように従来は、異速度回線を収容して通信処理を行うために、それぞれの速度専用の回線インタフェース部を所定の回線対応部が収納されたスロットに収容して通信処理を行っている。このため、各スロットが特化されており、あるスロットが６００ＭＨｚ対６００ＭＨｚ回線インタフェース部に対応するものであれば、そのスロットに、１５０ＭＨｚ回線インタフェース部方路を接続することは不可能である。
【０００６】
したがって、例えば、ＡＴＭスイッチにおける異速度回線の収容形態が変化する毎に、各回線速度に対応する回線インタフェース部が収容されるスロットを変更する必要が生じる。このような作業は、その全てを自動的に行うことは困難であり、人手によって行うことが要求される。このために、変更には多くの費用および長い時間を要する。特に、回線インタフェース部が収容されるスロットを変更するためには、ＡＴＭスイッチの運転を一時停止させることが必要であり、その間は通信処理を行うことができないためにＡＴＭスイッチの利用効率が低下する。
【０００７】
本発明は、このような背景に行われたものであって、異速度回線を同一の装置により処理することができるデータ転送装置を提供することを目的とする。本発明は、異速度回線の収容形態の変更に速やかに対応することができるデータ転送装置を提供することを目的とする。
【０００８】
【課題を解決するための手段】
本発明は、ｍＭＨｚの回線を収容する回線対応部と、ｍＭＨｚまたはｍ／ｎＭＨｚの回線を収容する回線インタフェース部との間に、上り下りｎ対のｍ／ｎＭＨｚの回線を設けたことを特徴とする。この回線対応部がｍＭＨｚの回線インタフェース部に対応するときには、ｎ対のｍ／ｎＭＨｚの回線をパラレルに使用することにより、１対のｍＭＨｚの回線と等価な回線として使用することができる。
【０００９】
このとき、パラレルに転送される以前のセルデータの順序を保存するために、先頭のセルデータから順次１／ｎセルずつずらしてｎ本の回線の１番目からｎ番目に向けて巡回的にセルデータを送出することが望ましい。これにより、受信側では、順次１／ｎセルずつ遅延されて到着するセルデータを順番に並べてゆくことにより、送信側で、セルデータがパラレルに転送される以前のセルデータの順序を再生することができる。
【００１０】
また、回線対応部がｎ個のｍ／ｎＭＨｚの回線インタフェース部に対応するときには、ｎ対のｍ／ｎＭＨｚの回線がそれぞれｎ個のｍ／ｎＭＨｚの回線インタフェース部にそれぞれ接続されているので、セルデータの行き先方路識別子によりこのｎ対のｍ／ｎＭＨｚの回線にそれぞれセルデータを振り分ける。
【００１１】
このように、本発明のデータ転送装置は、同一のハードウェア構成による回線対応部を用いてｍＭＨｚまたはｍ／ｎＭＨｚの回線を収容する回線インタフェース部にそれぞれ対応することができる。すなわち、対応する回線インタフェース部に収容される回線の速度に応じ、回線インタフェース部が収容されるスロットを変更せずに、回線対応部の動作を制御するソフトウェアを変更するだけで、異速度回線に同一の回線対応部によって対応することができる。したがって、異速度回線を同一の装置により処理することができるので、異速度回線の収容形態の変更に速やかに対応することができる。また、ソフトウェアの変更は、短時間に自動的に行うことができるため、ＡＴＭスイッチの運転を停止させたり、人手を要したりすることなく、異速度回線の収容形態の変更に対応することができる。
【００１２】
すなわち、本発明はデータ転送装置であって、ｍＭＨｚの回線を収容する回線対応部と、ｍＭＨｚまたはｍ／ｎＭＨｚの回線を収容する回線インタフェース部とを備え、この回線インタフェース部および前記回線対応部は、相互にセルデータを送受信する手段を備えたデータ転送装置である。本発明の特徴とするところは、前記回線対応部と前記回線インタフェース部との間には、上り下りｎ対のｍ／ｎＭＨｚの回線が設けられたところにある。
【００１３】
前記送受信する手段は、前記回線インタフェース部がｍＭＨｚの回線を収容するとき前記ｎ対のｍ／ｎＭＨｚの回線にセルデータを１／ｎセルずつずらして巡回的に順次送信する第一のモードと、前記回線インタフェース部がｍ／ｎＭＨｚの回線を収容し複数ｎ個設けられるときセルデータの行き先方路識別子により前記ｎ対のｍ／ｎＭＨｚの回線にそれぞれセルデータを振り分ける第二のモードとを要求に応じて設定する手段を含むことが望ましい。
【００１４】
【発明の実施の形態】
発明の実施の形態を図１を参照して説明する。図１は本発明実施例のデータ転送装置の要部ブロック構成図である。
【００１５】
本発明はデータ転送装置であって、図１に示すように、６００ＭＨｚの回線１および１０を収容する６００ＭＨｚ回線対応部２０と、６００ＭＨｚまたは１５０ＭＨｚの回線５、６、１８−ａ〜１８−ｄ、１９−ａ〜１９−ｄを収容する６００ＭＨｚ回線インタフェース部３０または１５０ＭＨｚ回線インタフェース部方路１４−ａ〜１４−ｄとを備え、この６００ＭＨｚ回線インタフェース部３０または１５０ＭＨｚ回線インタフェース部方路１４−ａ〜１４−ｄおよび６００ＭＨｚ回線対応部２０は、相互にセルデータを送受信するデータ転送装置である。
【００１６】
ここで、本発明の特徴とするところは、６００ＭＨｚ回線対応部２０と６００ＭＨｚ回線インタフェース部３０または１５０ＭＨｚ回線インタフェース部方路１４−ａ〜１４−ｄとの間には、上り下り４対の１５０ＭＨｚの回線３−ａ〜３ｄおよび８−ａ〜８−ｄまたは１３−ａ〜１３−ｄおよび１５−ａ〜１５−ｄが設けられたところにある。
【００１７】
６００ＭＨｚ回線対応部２０は、６００ＭＨｚ回線インタフェース部３０に対応するとき４対の１５０ＭＨｚの回線３−ａ〜３ｄおよび８−ａ〜８−ｄにセルデータを１／４セルずつずらして巡回的に順次送信する第一のモードと、１５０ＭＨｚ回線インタフェース部方路１４−ａ〜１４−ｄに対応するときセルデータの行き先方路識別子により４対の１５０ＭＨｚの回線１３−ａ〜１３−ｄおよび１５−ａ〜１５−ｄにそれぞれセルデータを振り分ける第二のモードとを要求に応じて設定することができる。
【００１８】
【実施例】
本発明実施例を図１ないし図３を参照して説明する。図２は６００ＭＨｚ回線インタフェース部に対応するときの６００ＭＨｚ回線対応部の動作を説明するための図である。図３は１５０ＭＨｚ回線インタフェース部方路に対応するときの６００ＭＨｚ回線対応部の動作を説明するための図である。図２における符号１は６００ＭＨｚ回線対応部２０にて６００ＭＨｚのセルデータが転送される回線、符号２はそのセルデータを４方路に分離するセル分離回路、符号３−ａ〜３−ｄは４方路に分離されたセルデータが通過する回線、符号４はその分離されたセルデータを多重するセル多重回路、符号５は６００ＭＨｚ回線インタフェース部３０にて多重された６００ＭＨｚのセルデータが通過する回線、符号６は６００ＭＨｚ回線インタフェース部３０にて６００ＭＨｚのセルデータが転送される回線、符号７はそのセルデータを４方路に分離するセル分離回路、符号８−ａ〜８−ｄは４方路に分離されたセルデータが通過する回線、符号９はその分離されたセルデータを多重するセル多重回路、符号１０は６００ＭＨｚ回線対応部２０にて多重された６００ＭＨｚのセルデータが通過する回線である。
【００１９】
図３における符号１１は６００ＭＨｚ回線対応部２０にて各方路番号が付与された１５０ＭＨｚ×４のセルデータが転送される回線、符号１２はそのセルデータに付与された行き先方路識別子を参照してその方路にセルデータを出力するセル分離回路、符号１３−ａ〜１３−ｄは４方路に分離されたセルデータが通過する回線、符号１４−ａ〜１４−ｄはそれぞれそのセルデータが入出力される１５０ＭＨｚ回線インタフェース部方路、符号１５−ａ〜１５−ｄは１５０ＭＨｚ回線インタフェース部方路１４−ａ〜１４−ｄから出力されるセルデータが通過する回線、符号１６は４方路からのセルデータに方路識別子を付与しながら多重するセル多重回路、符号１７は６００ＭＨｚ回線対応部２０にて多重された６００ＭＨｚのセルデータが通過する回線、符号１８は１５０ＭＨｚ回線インタフェース部方路１４−ａ〜１４−ｄから出力されるセルデータが通過する回線、符号１９は１５０ＭＨｚ回線インタフェース部方路１４−ａ〜１４−ｄに入力されるセルデータが通過する回線である。
【００２０】
次に、上記構成によるセル多重分離動作について説明する。まず、図２の６００ＭＨｚの回線５および６収容時の動作モードについて説明する。回線１に到来した６００ＭＨｚのセルデータが回線１上を通過し、セル分離回路２でセルデータを４方路へ１／４セルずつずらし、方路単位に巡回しながらセルを送信する。分離されたセルデータはそれぞれの回線３−ａ〜３−ｄを通過して、セル多重回路４で到着した順番に多重され６００ＭＨｚ回線インタフェース部３０内の回線５に転送される。
【００２１】
また、その逆のルートでは、回線６に到来した６００ＭＨｚのセルデータが回線６上を通過し、セル分離回路７でセルデータを４方路に１／４セルずつずらし、方路単位に巡回しながらセルを送信する。分離されたセルデータはそれぞれの回線８−ａ〜８−ｄを通過して、セル多重回路９で到着した順番で多重され６００ＭＨｚ回線対応部２０内の回線１０に転送される。
【００２２】
図２に示すように、６００ＭＨｚ回線対応部２０および６００ＭＨｚ回線インタフェース部３０のセル送受信構成は同じである。すなわち、いずれにも同一構成のセル多重回路４および９、セル分離回路２および７を備えている。したがって、６００ＭＨｚ回線対応部２０および６００ＭＨｚ回線インタフェース部３０のセル送受信構成には、同一のハードウェア構成をそれぞれ用いることができる。
【００２３】
次に、図３の１５０ＭＨｚの回線１８−ａ〜１８−ｄ、１９−ａ〜１９−ｄ収容時動作モードについて説明する。回線１１に到来した１５０ＭＨｚ×４のセルデータが回線１１上を通過し、セル分離回路１２でそのセルに付与された行き先方路識別子が参照されてその方路にセルデータを出力する。分離されたセルデータはそれぞれの回線１３−ａ〜１３−ｄを通過して、各１５０ＭＨｚ回線インタフェース部方路１４−ａ〜１４−ｄに入力される。各１５０ＭＨｚ回線インタフェース部方路１４−ａ〜１４−ｄに入力されたセルデータは、それぞれ回線１８−ａ〜１８−ｄから出力される。
【００２４】
また、その逆のルートでは、回線１９−ａ〜１９−ｄに到来し、１５０ＭＨｚ回線インタフェース部方路１４−ａ〜１４−ｄから出力されたセルデータが各回線１５−ａ〜１５−ｄを通過して、セル多重回路１６で方路識別子を付与されながら多重され、６００ＭＨｚ回線対応部２０内の回線１７に転送される。
【００２５】
以上の動作モードを切り替えることにより、６００ＭＨｚ回線インタフェース部３０と１５０ＭＨｚ回線インタフェース部方路１４−ａ〜１４−ｄを同じスロットに収容することができる。
【００２６】
【発明の効果】
以上説明したように、本発明によれば、異速度回線を同一の装置により処理することができる。これにより、異速度回線の収容形態の変更に速やかに対応することができる。
【図面の簡単な説明】
【図１】本発明実施例のデータ転送装置の要部ブロック構成図。
【図２】６００ＭＨｚ回線インタフェース部に対応するときの６００ＭＨｚ回線対応部の動作を説明するための図。
【図３】１５０ＭＨｚ回線インタフェース部方路に対応するときの６００ＭＨｚ回線対応部の動作を説明するための図。
【図４】従来のデータ転送装置の要部ブロック構成図。
【符号の説明】
１、３−ａ〜３−ｄ、５、６、８−ａ〜８−ｄ、１０、１１、１３−ａ〜１３−ｄ、１５−ａ〜１５−ｄ、１７、１８−ａ〜１８−ｄ、１９−ａ〜１９−ｄ  回線
２、７、１２  セル分離回路
４、９、１６  セル多重回路
１４−ａ〜１４−ｄ  １５０ＭＨｚ回線インタフェース部方路
２０  ６００ＭＨｚ回線対応部
３０  ６００ＭＨｚ回線インタフェース部
５０  ６００ＭＨｚ対６００ＭＨｚ回線対応部
６０  ６００ＭＨｚ対１５０ＭＨｚ回線対応部
７０  ６００ＭＨｚ対６００ＭＨｚ回線インタフェース部
【図１】
0003570899.tif 000002
【図２】
0003570899.tif 000003
【図３】
0003570899.tif 000004
【図４】
0003570899.tif 000005